(57)【要約】【課題】定量ピペット用照準器及び照準器付き定量ピペットを提供する。【解決手段】本発明の定量ピペット用照準器１０は、定量ピペット２０に装着するための接続部１１と、定量ピペット２０の先端から滴下される液体の滴下方向を視認可能である開口部１５とを備え、定量ピペット２０の長軸方向が鉛直から所定角度だけ傾いて液体を滴下する際に、当該所定角度だけ鉛直から傾いた先端チップ２８から滴下される液体の滴下方向を視認可能である。【選択図】図１
2012213727.tif 000002
【特許請求の範囲】
【請求項１】
ピペットに装着するための接続部と、
前記ピペットの先端から滴下される液体の滴下方向の照準を定める照準部と、を備えることを特徴とするピペット用照準器。
【請求項２】
前記ピペットは定量ピペットであり、前記ピペットの先端は前記定量ピペットに取り付けられた先端チップの開口端部であることを特徴とする、請求項１に記載のピペット用照準器。
【請求項３】
前記ピペットは長軸方向が鉛直から所定角度だけ傾いて前記液体を滴下し、
前記ピペット用照準器は、前記所定角度だけ鉛直から傾いた前記先端チップから滴下される前記液体の滴下方向を視認可能であることを特徴とする、請求項１又は２に記載のピペット用照準器。
【請求項４】
請求項１乃至３のいずれかに記載のピペット用照準器を備えることを特徴とする定量ピペット。
【発明の詳細な説明】
【技術分野】
【０００１】
本発明は、定量ピペット用照準器及び照準器付き定量ピペットに関する。
【背景技術】
【０００２】
従来、研究所、病院等において、試薬や培養液等を採取し実験、検査等を行うために、ピストンのストロークにより所定分量の液体試料を吸引し排出する定量ピペットが用いられている（例えば、特許文献１）。このような定量ピペットは、サンプリング時の検体の汚染や夾雑を防ぐために、着脱可能な先端チップを先端部に装着することができる。検査ごとに新しいチップを使用することにより、良好な検査結果が得られる。
【先行技術文献】
【特許文献】
【０００３】
【特許文献１】特開平６−２１０１８８号公報
【発明の概要】
【発明が解決しようとする課題】
【０００４】
遺伝子含有溶液等の生体試料の取扱においては、排出した液体試料中に関心対象を均一に分散させるため、顕微鏡観察用スライドグラス等に向かって数十ｃｍ程度の滴下距離から液体試料を滴下する場合がある。このような使用状況では、実験者等は、ピペットを胸付近に保持して下方のスライドグラスへの滴下を試みることになる。従来の定量ピペットは、先端チップをバイアル等に差し込んで接触した溶液を分取及び排出することには好都合であるが、ピペットを対象から離間すると、実際の滴下場所を知ることが困難であった。このため、特に手操作での滴下に習熟を要し、所定位置への滴下に失敗すると貴重な検体を無駄に消費する可能性があった。
【０００５】
本発明は、滴下目標から離間した状態で正確に所定場所へのピペット滴下操作を行うことのできる定量ピペット用照準器及びこのような照準器を備える定量ピペットを提供することを目的とする。
【課題を解決するための手段】
【０００６】
このような目的は、下記（１）〜（４）の本発明により達成される。
【０００７】
（１）ピペットに装着するための接続部と、ピペットの先端から滴下される液体の滴下方向のねらいを定める照準部と、を備えることを特徴とするピペット用照準器。
【０００８】
（２）ピペットは定量ピペットであり、ピペットの先端は定量ピペットに取り付けられた先端チップの開口端部であることを特徴とする、（１）に記載のピペット用照準器。
【０００９】
（３）ピペットは長軸方向が鉛直から所定角度だけ傾いて液体を滴下し、ピペット用照準器は、所定角度だけ鉛直から傾いた先端チップから滴下される液体の滴下方向を視認可能であることを特徴とする、（１）又は（２）に記載のピペット用照準器。
【００１０】
（４）（１）乃至（３）のいずれかに記載のピペット用照準器を備えることを特徴とする定量ピペット。
【発明の効果】
【００１１】
本発明によれば、滴下目標から離間した状態で正確に所定場所へのピペット滴下操作を行うことのできる定量ピペット用照準器及びこのような照準器を備える定量ピペットを提供することができる。
【図面の簡単な説明】
【００１２】
【図１】本発明の実施形態に係る定量ピペット用照準器を装着した定量ピペットを表す図である。
【図２】本発明の第１実施形態に係る定量ピペット用照準器の上面図及び側面図である。
【図３】本発明の第２実施形態に係る定量ピペット用照準器の上面図である。
【図４】本発明の第３実施形態に係る定量ピペット用照準器の側面図である。
【発明を実施するための形態】
【００１３】
以下、本発明の定量ピペット用照準器及び照準器付き定量ピペットを実施するための形態（以下、「実施形態」という。）に基づいて図面を参照して詳細に説明する。以下に示す実施形態は、本発明の技術的思想を具体化するための物や方法を例示するものであって、本発明の技術的思想は、構成材料の種類、構成条件等を下記のものに特定するものでない。本発明の技術的思想は、特許請求の範囲に記載された技術的範囲内において、種々の変更を加えることができる。
【００１４】
図１は、本発明の実施形態に係る定量ピペット用照準器１０を装着した定量ピペット２０を表す図である。図１に示す目視方向は、定量ピペット２０の先端から鉛直下方に向かう方向と一致している。定量ピペット２０は、液体を排出する状況にあり、排出された液滴をスムーズに滴下するために、長軸方向が鉛直から所定角度だけ傾いている。
【００１５】
定量ピペット用照準器１０は、定量ピペット２０に装着され、操作者の目視方向（図１）に定量ピペット２０の先端チップ２８の先端を一致させる。ここで、先端チップ２８の先端は、液体試料の吸引及び排出が行われる開口端部である。
【００１６】
定量ピペット２０は、把持部２１、操作部２２、プッシュボタン２３、筒体２４、肩部２５、芯部２６及び取付部２７を備える。取付部２７には、先端チップ２８が着脱可能に装着される。プッシュボタン２３への押圧により、操作部２２の内蔵機構を介してポンプ動作が行われ、先端チップ２８への所定分量の液体試料の吸引及び排出が行われる。
【００１７】
図１に示すように、本実施形態の定量ピペット用照準器１０は、操作者の目視方向を、定量ピペット２０の先端チップ２８の先端から鉛直下方への方向と一致させることが可能である。したがって、本実施形態の定量ピペット用照準器１０を用いることにより、操作者は、定量ピペット２０をスライドグラス等から離間した状態で、正確に所定位置へのピペット滴下操作を行うことが可能である。
【００１８】
本実施形態の定量ピペット用照準器１０を装着した定量ピペット２０の使用は、例えば、次のいずれかのように行うことができる。
（Ａ）操作者は、定量ピペット２０を胸付近に保持し、定量ピペット用照準器１０を介した目視方向を滴下位置として、この滴下位置にスライドガラスを移動させる。
（Ｂ）操作者は、定量ピペット２０を胸付近に保持し、定量ピペット用照準器１０を介した目視方向を、滴下の目標であるスライドガラス上に移動させる。
【００１９】
図１には、ピペット用照準器１０を取付部２７に装着した例を示しているが、本発明はこれに限定されない。ピペット用照準器１０は、把持部２１、筒体２４、芯部２６、あるいは定量ピペット２０の操作に問題のない任意の箇所に装着されてもよい。
【００２０】
次に、本発明に係る定量ピペット用照準器１０の実施例について、図２乃至図４を参照して説明する。以下の説明において、定量ピペット用照準器１０は、略円筒状の取付部２７に装着されるものとする。
【実施例】
【００２１】
（実施例１）
図２は、本発明の第１実施形態に係る定量ピペット用照準器１０の上面図及び側面図である。
【００２２】
図２（ａ）は、定量ピペット用照準器１０の上面図である。定量ピペット用照準器１０は、接続部１１、胴部１３及び照準枠１４からなる。接続部１１は、円筒側面の形状を有し、一部にギャップ１２が設けられている。照準枠１４は、開口部（照準部）１５が設けられる。この開口部１５がピペットの先端から滴下される液体の滴下方向の照準を定めるものである。
【００２３】
定量ピペット用照準器１０の材質としては、射出成形可能な耐薬品性プラスチック等の可撓材料を用いることができるが、限定されない。
【００２４】
接続部１１は、取付部２７の外径と略等しいかわずかに小さな内径を有する。接続部１１は、ギャップ１２により寸法誤差を吸収して、あるいはギャップ１２の開閉を伴う弾性変形によって、定量ピペット用照準器１０を定量ピペット２０の取付部２７にしっかりと装着することを可能にしている。
【００２５】
胴部１３は、接続部１１及び照準枠１４を支持する機能を有する。
【００２６】
照準枠１４は、操作者の目視方向に沿った視野を画定するための開口部１５を有する。図２（ｂ）を示して後述するように、照準枠１４は、目視方向に沿って上方及び下方の２箇所に配置される。
【００２７】
開口部１５は、一般的な照準器における環孔照門に相当する。操作者等は、この開口部１５を介して、定量ピペット２０の滴下方向を視認することができる。
【００２８】
図１には、円形の開口部１５を示しているが、本発明の定量ピペット用照準器１０の照準枠１４は、これに限定されず、任意の形態の照準枠とすることができる。また、開口部１５は、操作者の目視方向の視野を確保できればよく、透明材料が配置されてもよい。例えば、十字線又は同様の目盛り等を印刷、刻印、あるいは成形した透明樹脂等を開口部１５に配置してもよい。
【００２９】
図２（ｂ）は、定量ピペット用照準器１０の側面図である。照準枠１４は、上方の照準枠１４ａ及び下方の照準枠１４ｂから構成される。これらの上方の照準枠１４ａ及び下方の照準枠１４ｂには、それぞれ開口部１５を設けることができる。照準枠１４ａ、１４ｂに設ける開口部１５は、略同一の大きさでもよく、下方の照準枠１４ｂに設ける開口部１５をより小さくすることによって、操作者が視認する滴下の目標の範囲を狭めることも可能である。また、それぞれの開口部１５の相互の相対位置は、操作者の目視方向を画定することができれば何でもよい。
【００３０】
定量ピペット用照準器１０の全体の大きさ、接続部１１と照準枠１４との間隔を画定する胴部１３の大きさ等は、定量ピペット２０の寸法及び滴下操作時に定量ピペット２０を傾ける角度等に基づいて、適切に設計することができる。
【００３１】
（実施例２）
図３は、本発明の第２実施形態に係る定量ピペット用照準器１０の上面図である。本実施形態の定量ピペット用照準器１０は、接続部１１を固定するための係止部１６又は固定部１７を備えている。
【００３２】
図３（ａ）は、係止部１６を備える定量ピペット用照準器１０の上面図である。係止部１６は、例えば、ラッチ構造、面ファスナー等により構成することができる。係止部１６は、図２（ａ）に示したギャップ１２の開閉を固定又は半固定することができる。これにより、定量ピペット用照準器１０を定量ピペット２０の取付部２７にしっかりと装着することを可能にしている。
【００３３】
図３（ｂ）は、固定部１７を備える定量ピペット用照準器１０の上面図である。固定部１７は、接続部１１の一部に嵌合する構造、あるいは接続部１１の一部をネジ止めする構造等により構成することができる。固定部１７は、図２（ａ）に示したギャップ１２の開閉を固定することができる。これにより、定量ピペット用照準器１０を定量ピペット２０の取付部２７にしっかりと装着することを可能にしている。
【００３４】
（実施例３）
図４は、本発明の第３実施形態に係る定量ピペット用照準器１０の側面図である。
【００３５】
図４に示す上方の照準枠１４ａ及び下方の照準枠１４ｂは、それぞれヒンジ１８ａ、１８ｂを介して胴部１３に取り付けられている。このようにすることにより、本実施例の定量ピペット用照準器１０は、使用時以外には上方の照準枠１４ａ及び下方の照準枠１４ｂを折りたたむことができ、コンパクトに保管することが可能である。
【００３６】
このようにすることにより、本発明の実施形態に係る定量ピペット用照準器１０は、照準枠１４に設けた開口部１５によって、操作者の目視方向を定量ピペット２０の先端チップ２８の先端に一致させることができる。したがって、本発明の実施形態に係る定量ピペット用照準器１０を装着した定量ピペット２０は、滴下目標から離間した状態で正確に所定場所へのピペット滴下操作を可能にしている。
【００３７】
以上、本発明の定量ピペット用照準器及び照準器付き定量ピペットを実施形態に基づいて説明したが、本発明は、これに限定されるものではなく、本発明の定量ピペット用照準器及び照準器付き定量ピペットを構成する各部は、同様の機能を発揮し得る任意の構成のものと置換することができる。また、任意の構成物が付加されていてもよい。
【００３８】
本発明は上述した実施形態に限定されるものではなく、特許請求の範囲に記載された本発明の要旨の範囲内において、種々の変形、変更が可能である。
【産業上の利用可能性】
【００３９】
本発明に係る定量ピペット用照準器及び照準器付き定量ピペットを用いると、滴下距離を介して液体試料の分取を行う場合に、正確に所定位置に試料を滴下できるので、単純なピペット操作により速やかに検査や実験準備を行うことができ、現場での利用可能性は極めて大きい。
【符号の説明】
【００４０】
１０  ピペット照準器
１１  接続部
１２  ギャップ
１３  胴部
１４  照準枠
１５  開口部（照準部）
１６  係止部
１７  固定部
１８  ヒンジ
２０  定量ピペット
２１  把持部
２２  操作部
２３  押ボタン
２４  筒体
２５  肩部
２６  芯棒
２７  取付部
２８  先端チップ
【図１】
2012213727.tif 000003
【図２】
2012213727.tif 000004
【図３】
2012213727.tif 000005
【図４】
2012213727.tif 000006